【手続補正書】
【提出日】令和1年10月1日(2019.10.1)
【手続補正１】
【補正対象書類名】特許請求の範囲
【補正対象項目名】全文
【補正方法】変更
【補正の内容】
【特許請求の範囲】
【請求項１】
患者記録サーバデバイスであって、前記患者記録サーバデバイスは、プロセッサおよびメモリを備え、前記患者記録サーバデバイスは、
患者ブロックチェーンを作成することであって、前記患者ブロックチェーンは、臨床試験の開始時、空であり、前記患者ブロックチェーンは、前記臨床試験において登録されている患者に対応する、ことと、
前記臨床試験中、線形様式でブロックを追加することによって、前記患者ブロックチェーンを更新することと、
提出デバイスクライアントから患者記録を受信することと、
前記提出デバイスクライアントに前記患者記録の受信の確認を送信することと、
メンバデバイスクライアントから患者プロファイル情報を受信することと、
前記患者プロファイル情報に基づいて検索結果を決定することと、
前記メンバデバイスクライアントに前記検索結果を示す情報を送信することと、
前記検索結果を示す情報に基づいて、前記メンバデバイスクライアントに、前記検索結果を送信することと、
前記臨床試験の完了時、ネットワークメンバに、前記臨床試験中に更新された前記患者ブロックチェーンの利用可能性をブロードキャストすることと、
前記患者ブロックチェーンに対応する物理的試料への第三者アクセスの記録を用いて前記患者ブロックチェーンを更新することと
を行うように動作可能である、患者記録サーバデバイス。
【請求項２】
前記患者記録サーバデバイスは、
前記患者記録プロバイダクレジットを記憶し、前記患者ブロックチェーンを更新することと、
前記患者記録プロバイダクレジットの第１の確認を前記提出デバイスクライアントに送信することと、
メンバデバイスクライアントデビットを記憶し、前記患者ブロックチェーンを更新することと、
前記メンバデバイスクライアントデビットの第２の確認を前記メンバデバイスクライアントに送信することと、
オペレータクレジットを記憶し、前記患者ブロックチェーンを更新することと
を行うようにさらに動作可能である、請求項１に記載の患者記録サーバデバイス。
【請求項３】
前記患者記録サーバデバイスは、
前記メンバデバイスクライアントからマイニングされた情報を受信することと、
前記マイニングされた情報を次のメンバブロックチェーン内に記憶することと、
前記メンバデバイスクライアントに前記マイニングされた情報の記憶の確認を送信することと
を行うようにさらに動作可能である、請求項１に記載の患者記録サーバデバイス。
【請求項４】
前記患者記録サーバデバイスは、アクセス料金を前記患者記録に割り当てるようにさらに動作可能であり、前記患者記録アクセス料金は、前記患者記録内に記憶される情報の量に比例する、請求項１に記載の患者記録サーバデバイス。
【請求項５】
前記患者記録サーバデバイスは、
第１の患者記録情報を前記提出デバイスクライアントから受信することと、
前記第１の患者記録情報を記憶し、前記患者ブロックチェーンを更新することと、
前記第１の患者記録情報を記憶することに応答して、前記患者記録に関連付けられたアクセス料金を増加させることと、
第２の患者記録を前記提出デバイスクライアントから受信することと、
前記第２の記録情報を記憶し、前記患者ブロックチェーンを更新することと、
前記第２の患者記録情報を記憶することに応答して、前記患者記録に関連付けられたアクセス料金を増加させることと
を行うようにさらに動作可能である、請求項１に記載の患者記録サーバデバイス。
【請求項６】
前記患者記録サーバデバイスは、
複数の提出デバイスクライアントから複数の臨床試験患者に対応する複数の臨床試験患者記録を受信することと、
前記複数の臨床試験患者記録を群化し、患者記録の臨床試験群を形成することと、
臨床試験スポンサメンバデバイスクライアントとして識別されたメンバデバイスクライアントを除く全ての前記メンバデバイスクライアントに対して、前記複数の臨床試験患者記録へのアクセスを制限することと、
臨床試験の終了を信号伝達する情報を受信することと、
他のメンバデバイスクライアントに前記患者記録の臨床試験群へのアクセスを提供することと
を行うようにさらに動作可能である、請求項１に記載の患者記録サーバデバイス。
【請求項７】
暗号化された生物学的試料データをセキュアに記憶し、読み出す方法であって、前記方法は、
プロセッサが、患者ブロックチェーンを作成することであって、前記患者ブロックチェーンは、臨床試験の開始時、空であり、前記患者ブロックチェーンは、前記臨床試験において登録されている患者に対応する、ことと、
前記プロセッサが、前記臨床試験中、線形様式でブロックを追加することによって、前記患者ブロックチェーンを更新することと、
前記プロセッサが、患者記録を提出デバイスクライアントから受信することと、
前記プロセッサが、前記患者記録の受信の確認を前記提出デバイスクライアントに送信することと、
前記プロセッサが、患者プロファイル情報をメンバデバイスクライアントから受信することと、
前記プロセッサが、前記患者プロファイル情報に基づいて検索結果を決定することと、
前記プロセッサが、前記検索結果を示す情報を前記メンバデバイスクライアントに送信することと、
前記プロセッサが、前記検索結果を示す情報に基づいて、前記メンバデバイスクライアントに、前記検索結果を送信することと、
前記プロセッサが、前記臨床試験の完了時、ネットワークメンバに、前記臨床試験中に更新された前記患者ブロックチェーンの利用可能性をブロードキャストすることと、
前記プロセッサが、前記患者ブロックチェーンに対応する物理的試料への第三者アクセスの記録を用いて前記患者ブロックチェーンを更新することと
を含む、方法。
【請求項８】
患者記録プロバイダクレジットを記憶し、前記患者ブロックチェーンを更新することと、
前記患者記録プロバイダクレジットの第１の確認を前記提出デバイスクライアントに送信することと、
メンバデバイスクライアントデビットを記憶し、前記患者ブロックチェーンを更新することと、
前記メンバデバイスクライアントデビットの第２の確認を前記メンバデバイスクライアントに送信することと、
オペレータクレジットを記憶し、前記患者ブロックチェーンを更新することと
をさらに含む、請求項７に記載の方法。
【請求項９】
マイニングされた情報を前記メンバデバイスクライアントから受信することと、
前記マイニングされた情報を次のメンバブロックチェーン内に記憶することと、
前記マイニングされた情報の記憶の確認を前記メンバデバイスクライアントに送信することと
をさらに含む、請求項７に記載の方法。
【請求項１０】
アクセス料金を前記患者記録に割り当てることをさらに含み、前記患者記録アクセス料金は、前記患者記録内に記憶される情報の量に比例する、請求項７に記載の方法。
【請求項１１】
第１の患者記録情報を前記提出デバイスクライアントから受信することと、
前記第１の患者記録情報を記憶し、前記患者ブロックチェーンを更新することと、
前記第１の患者記録情報を記憶することに応答して、前記患者記録に関連付けられたアクセス料金を増加させることと、
第２の患者記録を前記提出デバイスクライアントから受信することと、
前記第２の記録情報を記憶し、前記患者ブロックチェーンを更新することと、
前記第２の患者記録情報を記憶することに応答して、前記患者記録に関連付けられたアクセス料金を増加させることと
をさらに含む、請求項７に記載の方法。
【請求項１２】
複数の提出デバイスクライアントから複数の臨床試験患者に対応する複数の臨床試験患者記録を受信することと、
前記複数の臨床試験患者記録を群化し、患者記録の臨床試験群を形成することと、
臨床試験スポンサメンバデバイスクライアントとして識別されたメンバデバイスクライアントを除く全ての前記メンバデバイスクライアントに対して、前記複数の臨床試験患者記録へのアクセスを制限することと、
臨床試験の終了を信号伝達する情報を受信することと、
他のメンバデバイスクライアントに対して前記患者記録の臨床試験群へのアクセスを提供することと
をさらに含む、請求項７に記載の方法。
【手続補正２】
【補正対象書類名】明細書
【補正対象項目名】００２５
【補正方法】変更
【補正の内容】
【００２５】
本発明のさらに他の実施形態では、方法は、複数の提出デバイスクライアントから複数の臨床試験患者に対応する複数の臨床試験患者記録を受信することと、複数の臨床試験患者記録を群化し、患者記録の臨床試験群を形成することと、臨床試験スポンサメンバデバイスクライアントとして識別されたメンバデバイスクライアントを除く全てのメンバデバイスクライアントに対して、複数の臨床試験患者記録へのアクセスを制限することと、臨床試験の終了を信号伝達する情報を受信することと、他のメンバデバイスクライアントに対して臨床試験患者記録へのアクセスを提供することとをさらに含み得る。
本発明は、例えば、以下を提供する。
（項目１）
暗号化された生物学的試料データのセキュアな記憶および読み出しのための分散型システムであって、前記システムは、
提出デバイスクライアントであって、前記提出デバイスクライアントは、
患者記録サーバデバイスに患者記録を送信することと、
前記患者記録サーバデバイスから前記患者記録の受信の確認を受信することと
を行うように動作可能である、提出デバイスクライアントと、
前記患者記録サーバデバイスであって、前記患者記録サーバデバイスは、第１のプロセッサおよび第１のメモリを備え、前記患者記録サーバデバイスは、
前記提出デバイスクライアントから前記患者記録を受信することと、
前記提出デバイスクライアントに前記患者記録の受信の前記確認を送信することと、
メンバデバイスクライアントから患者プロファイル情報を受信することと、
前記患者プロファイル情報に基づいて検索結果を決定することと、
前記メンバデバイスクライアントに前記検索結果を示す情報を送信することと
を行うように動作可能である、前記患者記録サーバデバイスと、
前記メンバデバイスクライアントであって、前記メンバデバイスクライアントは、
前記患者記録サーバデバイスに前記患者プロファイル情報を送信することと、
前記患者記録サーバデバイスから前記患者プロファイル情報に基づく前記検索結果を示す情報を受信することと、
前記検索結果を示す前記情報に基づく前記検索結果を受信することと
を行うように動作可能である、前記メンバデバイスクライアントと
を備えている、システム。
（項目２）
提出デバイスであって、前記提出デバイスは、第２のプロセッサおよび第２のメモリを備え、前記提出デバイスは、前記提出デバイスクライアントを実行するように動作可能である、提出デバイスと、
メンバデバイスであって、前記メンバデバイスは、第３のプロセッサおよび第３のメモリを備え、前記メモリデバイスは、前記メンバデバイスクライアントを実行するように動作可能である、メンバデバイスと
をさらに備えている、項目１に記載のシステム。
（項目３）
前記提出デバイスクライアントであって、前記提出デバイスクライアントは、患者記録プロバイダクレジットの第１の確認を前記患者記録サーバデバイスから受信するようにさらに動作可能である、前記提出デバイスクライアントと、
前記患者記録サーバデバイスであって、前記患者記録サーバデバイスは、
前記患者記録プロバイダクレジットを次の患者ブロックチェーン内に記憶することと、
前記患者記録プロバイダクレジットの前記第１の確認を前記提出デバイスクライアントに送信することと、
メンバデバイスクライアントデビットを前記次の患者ブロックチェーン内に記憶することと、
前記メンバデバイスクライアントデビットの第２の確認を前記メンバデバイスクライアントに送信することと、
オペレータクレジットを前記次の患者ブロックチェーン内に記憶することと
を行うようにさらに動作可能である、前記患者記録サーバデバイスと、
前記メンバデバイスクライアントであって、前記メンバデバイスクライアントは、前記メンバデバイスクライアントデビットの前記第２の確認を前記患者記録サーバデバイスから受信するようにさらに動作可能である、前記メンバデバイスクライアントと
をさらに備えている、項目１に記載のシステム。
（項目４）
前記患者記録サーバデバイスであって、前記患者記録サーバデバイスは、
前記メンバデバイスクライアントからマイニングされた情報を受信することと、
前記マイニングされた情報を次のメンバブロックチェーン内に記憶することと、
前記メンバデバイスクライアントに前記マイニングされた情報の記憶の確認を送信することと
を行うようにさらに動作可能である、前記患者記録サーバデバイスと、
前記メンバデバイスクライアントであって、前記メンバデバイスクライアントは、
前記検索結果をマイニングし、マイニングされた情報を抽出することと、
前記患者記録サーバに前記マイニングされた情報を送信することと、
前記患者記録サーバから前記マイニングされた情報の記憶の確認を受信することと
を行うようにさらに動作可能である、前記メンバデバイスクライアントと
をさらに備えている、項目１に記載のシステム。
（項目５）
前記患者記録サーバデバイスであって、前記患者記録サーバデバイスは、アクセス料金を前記患者記録に割り当てるようにさらに動作可能であり、前記患者記録アクセス料金は、前記患者記録内に記憶される情報の量に比例する、前記患者記録サーバデバイスをさらに備えている、項目１に記載のシステム。
（項目６）
前記提出デバイスクライアントであって、前記提出デバイスクライアントは、前記患者記録を送信するために、
臨床試験に基づく第１の患者記録情報入力を受信することと、
前記第１の患者記録情報を前記患者記録サーバデバイスに送信することと、
臨床試験に基づく第２の患者記録情報入力を受信することと、
前記第２の患者記録情報を前記患者記録サーバデバイスに送信することと
を行うようにさらに動作可能である、前記提出デバイスクライアントと、
前記患者記録サーバデバイスであって、前記患者記録サーバデバイスは、前記患者記録を受信するために、
前記第１の患者記録情報を前記提出デバイスクライアントから受信することと、
前記第１の患者記録情報を次のブロックチェーン内に記憶することと、
前記第１の患者記録情報を記憶することに応答して、前記患者記録に関連付けられたアクセス料金を増加させることと、
前記第２の患者記録情報を前記提出デバイスクライアントから受信することと、
前記第２の記録情報を前記次のブロックチェーン内に記憶することと、
前記第２の患者記録情報を記憶することに応答して、前記患者記録に関連付けられたアクセス料金を増加させることと
を行うようにさらに動作可能である、前記患者記録サーバデバイスと
をさらに備えている、項目１に記載のシステム。
（項目７）
前記患者記録サーバデバイスであって、前記患者記録サーバデバイスは、臨床試験を促進するために、
複数の提出デバイスクライアントから複数の臨床試験患者に対応する複数の臨床試験患者記録を受信することと、
前記複数の臨床試験患者記録を群化し、患者記録の臨床試験群を形成することと、
臨床試験スポンサメンバデバイスクライアントとして識別されたメンバデバイスクライアントを除く全ての前記メンバデバイスクライアントに対して、前記複数の臨床試験患者記録へのアクセスを制限することと、
臨床試験の終了を信号伝達する情報を受信することと、
他のメンバデバイスクライアントに前記臨床試験患者記録へのアクセスを提供することと
を行うようにさらに動作可能である、前記患者記録サーバデバイスをさらに備えている、項目１に記載のシステム。
（項目８）
患者記録サーバデバイスであって、前記患者記録サーバデバイスは、プロセッサおよびメモリを備え、前記患者記録サーバデバイスは、
提出デバイスクライアントから患者記録を受信することと、
前記提出デバイスクライアントに前記患者記録の受信の確認を送信することと、
メンバデバイスクライアントから患者プロファイル情報を受信することと、
前記患者プロファイル情報に基づいて検索結果を決定することと、
前記メンバデバイスクライアントに前記検索結果を示す情報を送信することと
を行うように動作可能である、患者記録サーバデバイス。
（項目９）
前記患者記録サーバデバイスは、
前記患者記録プロバイダクレジットを次の患者ブロックチェーン内に記憶することと、
前記患者記録プロバイダクレジットの第１の確認を前記提出デバイスクライアントに送信することと、
メンバデバイスクライアントデビットを次の患者ブロックチェーン内に記憶することと、
前記メンバデバイスクライアントデビットの第２の確認を前記メンバデバイスクライアントに送信することと、
オペレータクレジットを前記次の患者ブロックチェーン内に記憶することと
を行うようにさらに動作可能である、項目８に記載の患者記録サーバデバイス。
（項目１０）
前記患者記録サーバデバイスは、
前記メンバデバイスクライアントからマイニングされた情報を受信することと、
前記マイニングされた情報を次のメンバブロックチェーン内に記憶することと、
前記メンバデバイスクライアントに前記マイニングされた情報の記憶の確認を送信することと
を行うようにさらに動作可能である、項目８に記載の患者記録サーバデバイス。
（項目１１）
前記患者記録サーバデバイスは、アクセス料金を前記患者記録に割り当てるようにさらに動作可能であり、前記患者記録アクセス料金は、前記患者記録内に記憶される情報の量に比例する、項目８に記載の患者記録サーバデバイス。
（項目１２）
前記患者記録サーバデバイスは、
第１の患者記録情報を前記提出デバイスクライアントから受信することと、
前記第１の患者記録情報を次のブロックチェーン内に記憶することと、
前記第１の患者記録情報を記憶することに応答して、前記患者記録に関連付けられたアクセス料金を増加させることと、
第２の患者記録を前記提出デバイスクライアントから受信することと、
前記第２の記録情報を前記次のブロックチェーン内に記憶することと、
前記第２の患者記録情報を記憶することに応答して、前記患者記録に関連付けられたアクセス料金を増加させることと
を行うようにさらに動作可能である、項目８に記載の患者記録サーバデバイス。
（項目１３）
前記患者記録サーバデバイスは、
複数の提出デバイスクライアントから複数の臨床試験患者に対応する複数の臨床試験患者記録を受信することと、
前記複数の臨床試験患者記録を群化し、患者記録の臨床試験群を形成することと、
臨床試験スポンサメンバデバイスクライアントとして識別されたメンバデバイスクライアントを除く全ての前記メンバデバイスクライアントに対して、前記複数の臨床試験患者記録へのアクセスを制限することと、
臨床試験の終了を信号伝達する情報を受信することと、
他のメンバデバイスクライアントに前記臨床試験患者記録へのアクセスを提供することと
を行うようにさらに動作可能である、項目８に記載の患者記録サーバデバイス。
（項目１４）
暗号化された生物学的試料データをセキュアに記憶し、読み出す方法であって、前記方法は、
患者記録を提出デバイスクライアントから受信することと、
前記患者記録の受信の確認を前記提出デバイスクライアントに送信することと、
患者プロファイル情報をメンバデバイスクライアントから受信することと、
前記患者プロファイル情報に基づいて検索結果を決定することと、
前記検索結果を示す情報を前記メンバデバイスクライアントに送信することと
を含む、方法。
（項目１５）
患者記録プロバイダクレジットを次の患者ブロックチェーン内に記憶することと、
前記患者記録プロバイダクレジットの第１の確認を前記提出デバイスクライアントに送信することと、
メンバデバイスクライアントデビットを前記次の患者ブロックチェーン内に記憶することと、
前記メンバデバイスクライアントデビットの第２の確認を前記メンバデバイスクライアントに送信することと、
オペレータクレジットを前記次の患者ブロックチェーン内に記憶することと
をさらに含む、項目１４に記載の方法。
（項目１６）
マイニングされた情報を前記メンバデバイスクライアントから受信することと、
前記マイニングされた情報を次のメンバブロックチェーン内に記憶することと、
前記マイニングされた情報の記憶の確認を前記メンバデバイスクライアントに送信することと
をさらに含む、項目１４に記載の方法。
（項目１７）
アクセス料金を前記患者記録に割り当てることをさらに含み、前記患者記録アクセス料金は、前記患者記録内に記憶される情報の量に比例する、項目１４に記載の方法。
（項目１８）
第１の患者記録情報を前記提出デバイスクライアントから受信することと、
前記第１の患者記録情報を次のブロックチェーン内に記憶することと、
前記第１の患者記録情報を記憶することに応答して、前記患者記録に関連付けられたアクセス料金を増加させることと、
第２の患者記録を前記提出デバイスクライアントから受信することと、
前記第２の記録情報を前記次のブロックチェーン内に記憶することと、
前記第２の患者記録情報を記憶することに応答して、前記患者記録に関連付けられたアクセス料金を増加させることと
をさらに含む、項目１４に記載の方法。
（項目１９）
複数の提出デバイスクライアントから複数の臨床試験患者に対応する複数の臨床試験患者記録を受信することと、
前記複数の臨床試験患者記録を群化し、患者記録の臨床試験群を形成することと、
臨床試験スポンサメンバデバイスクライアントとして識別されたメンバデバイスクライアントを除く全ての前記メンバデバイスクライアントに対して、前記複数の臨床試験患者記録へのアクセスを制限することと、
臨床試験の終了を信号伝達する情報を受信することと、
他のメンバデバイスクライアントに対して前記臨床試験患者記録へのアクセスを提供することと
をさらに含む、項目１４に記載の方法。